【手続補正書】
【提出日】平成16年9月3日(2004.9.3)
【手続補正１】
【補正対象書類名】明細書
【補正対象項目名】特許請求の範囲
【補正方法】変更
【補正の内容】
【特許請求の範囲】
【請求項１】
少なくとも結着樹脂、磁性粉体、及び含硫黄重合体を含有する磁性トナーであり、重量平均粒径が３〜１０μｍであり、平均円形度が０．９７０以上であり、樹脂成分のテトラヒドロフラン不溶分が５〜６０質量％であり、かつ、表面に存在する炭素元素の存在量をＡとし、表面に存在する硫黄元素の存在量をＥとしたときに、Ａに対するＥの比であるＥ／Ａが下式（１）を満たすことを特徴とする磁性トナー。
【数１】
2003043735.tif 000001
【請求項２】
磁場７９．６ｋＡ／ｍにおける磁化の強さが１０〜５０Ａｍ２／ｋｇであることを特徴とする請求項１に記載の磁性トナー。
【請求項３】
モード円形度が０．９９以上であることを特徴とする請求項１又は２に記載の磁性トナー。
【請求項４】
前記Ｅ／Ａが下式（２）を満たすことを特徴とする請求項１乃至３のいずれか一項に記載の磁性トナー。
【数２】
2003043735.tif 000002
【請求項５】
前記Ｅ／Ａが下式（３）を満たすことを特徴とする請求項１乃至３のいずれか一項に記載の磁性トナー。
【数３】
2003043735.tif 000003
【請求項６】
前記含硫黄重合体は、スルホン酸基含有（メタ）アクリルアミドを含有することを特徴とする請求項１乃至５のいずれか一項に記載の磁性トナー。
【請求項７】
表面に存在する炭素元素の存在量をＡとし、表面に存在する鉄元素の存在量をＢとしたときに、Ａに対するＢの比であるＢ／Ａが０．００１未満であることを特徴とする請求項１乃至６のいずれか一項に記載の磁性トナー。
【請求項８】
前記磁性トナーの投影面積相当径をＣとし、磁性トナー表面と磁性粉体との距離の最小値をＤとしたときに、Ｄ／Ｃ≦０．０２の関係を満たす磁性トナーが５０個数％以上であることを特徴とする請求項１乃至７のいずれか一項に記載の磁性トナー。
【請求項９】
前記磁性トナーは、離型剤を結着樹脂に対し１〜３０質量％含有することを特徴とする請求項１乃至８のいずれか一項に記載の磁性トナー。
【請求項１０】
前記離型剤は、示差熱分析による吸熱ピークが４０〜１１０℃であることを特徴とする請求項９に記載の磁性トナー。
【請求項１１】
前記離型剤は、示差熱分析による吸熱ピークが４５〜９０℃であることを特徴とする請求項９に記載の磁性トナー。
【請求項１２】
前記磁性トナーの樹脂成分のテトラヒドロフラン不溶分が８〜５０質量％であることを特徴とする請求項１乃至１１のいずれか一項に記載の磁性トナー。
【請求項１３】
前記磁性粉体は、カップリング剤で疎水化処理されていることを特徴とする請求項１乃至１２のいずれか一項に記載の磁性トナー。
【請求項１４】
前記磁性粉体は、水系媒体中でカップリング剤を加水分解しながら表面が疎水化処理されていることを特徴とする請求項１３に記載の磁性トナー。
【請求項１５】
少なくとも磁性粉体を有する粒子を水系媒体中に分散させ、次いで重合性単量体及び含硫黄重合体の混合物を添加し、重合することを特徴とする磁性トナーの製造方法。
【請求項１６】
重合性単量体及び磁性粉体を少なくとも含有する重合性単量体組成物を水系媒体に分散して重合性単量体組成物の粒子を生成し、重合を行い、転化率が１０％から９５％の時に重合性単量体及び含硫黄重合体の混合物を添加し重合することを特徴とする請求項１５に記載の磁性トナーの製造方法。
【手続補正２】
【補正対象書類名】明細書
【補正対象項目名】００４５
【補正方法】変更
【補正の内容】
【００４５】
測定手順としては、以下の通りである。界面活性剤約０．１ｍｇを溶解している水１０ｍｌに、磁性トナー約５ｍｇを分散させて分散液を調製し、超音波（２０ｋＨｚ、５０Ｗ）を分散液に５分間照射し、分散液濃度を５０００〜２万個／μｌとして、前記装置により測定を行い、３μｍ以上の円相当径の粒子群の平均円形度及びモード円形度を求める。
【手続補正３】
【補正対象書類名】明細書
【補正対象項目名】００６５
【補正方法】変更
【補正の内容】
【００６５】
本発明に用いられる含硫黄重合体を製造するための硫黄元素を有する単量体は、スチレンスルホン酸、２−アクリルアミド−２−メチルプロパンスルホン酸、２−メタクリルアミド−２−メチルプロパンスルホン酸、ビニルスルホン酸、メタクリルスルホン酸等がある。本発明に用いられる含硫黄重合体は、上記単量体の単重合体であってもよく、上記単量体と他の単量体との共重合体であってもかまわない。
【手続補正４】
【補正対象書類名】明細書
【補正対象項目名】０１３６
【補正方法】変更
【補正の内容】
【０１３６】
本発明に係わる磁性トナーに使用可能な離型剤としては、パラフィンワックス、マイクロクリスタリンワックス、ペトロラタム等の石油系ワックス及びその誘導体、モンタンワックス及びその誘導体、フィッシャートロプシュ法による炭化水素ワックス及びその誘導体、ポリエチレンに代表されるポリオレフィンワックス及びその誘導体、カルナバワックス、キャンデリラワックス等天然ワックス及びその誘導体などで、誘導体には酸化物や、ビニル系モノマーとのブロック共重合物、グラフト変性物を含む。さらには、高級脂肪族アルコール、ステアリン酸、パルミチン酸等の脂肪酸、あるいはその化合物、酸アミドワックス、エステルワックス、ケトン、硬化ヒマシ油及びその誘導体、植物系ワックス、動物性ワックスなども使用できる。
【手続補正５】
【補正対象書類名】明細書
【補正対象項目名】０１５２
【補正方法】変更
【補正の内容】
【０１５２】
また、材料の分散性や定着性、あるいは画像特性の改良等を目的として上記以外の樹脂を単量体組成物中に添加しても良く、用いられる樹脂としては、例えば、ポリスチレン、ポリビニルトルエンなどのスチレン及びその置換体の単重合体；スチレン−プロピレン共重合体、スチレン−ビニルトルエン共重合体、スチレン−ビニルナフタリン共重合体、スチレン−アクリル酸メチル共重合体、スチレン−アクリル酸エチル共重合体、スチレン−アクリル酸ブチル共重合体、スチレン−アクリル酸オクチル共重合体、スチレン−アクリル酸ジメチルアミノエチル共重合体、スチレン−メタアクリル酸メチル共重合体、スチレン−メタアクリル酸エチル共重合体、スチレン−メタアクリル酸ブチル共重合体、スチレン−メタクリル酸ジメチルアミノエチル共重合体、スチレン−ビニルメチルエーテル共重合体、スチレン−ビニルエチルエーテル共重合体、スチレン−ビニルメチルケトン共重合体、スチレン−ブタジエン共重合体、スチレン−イソプレン共重合体、スチレン−マレイン酸共重合体、スチレン−マレイン酸エステル共重合体などのスチレン系共重合体；ポリメチルメタクリレート、ポリブチルメタクリレート、ポリ酢酸ビニル、ポリエチレン、ポリプロピレン、ポリビニルブチラール、シリコーン樹脂、ポリエステル樹脂、ポリアミド樹脂、エポキシ樹脂、ポリアクリル酸樹脂、ロジン、変性ロジン、テンペル樹脂、フェノール樹脂、脂肪族又は脂環族炭化水素樹脂、芳香族系石油樹脂などが単独あるいは混合して使用できる。
【手続補正６】
【補正対象書類名】明細書
【補正対象項目名】０１８７
【補正方法】変更
【補正の内容】
【０１８７】
上記画像形成装置は、図２に示すように一成分ジャンピング方式と接触帯電方式とを採用した画像形成装置であり、回転自在な円筒状の感光体１００と、この感光体１００に接触配置される導電性の一次帯電ローラ１１７と、帯電した感光体１００にレーザー光１２３を照射して静電荷潜像を形成する静電荷潜像形成手段であるレーザー発生装置１２１と、本発明の磁性トナーを収容し感光体１００に形成された静電荷潜像を磁性トナーによって現像する現像器１４０と、この現像によって感光体１００に形成されたトナー像を転写材に転写させる転写ローラ１１４と、転写材上の未定着トナー像を転写材に定着させる定着器１２６と、転写後の感光体１００に残留する転写残トナーを感光体１００から除去するためのブレード式のクリーニング手段１１６と、転写ローラ１１４に転写材を搬送するレジスタローラ１２４と、転写後の転写材を搬送する搬送ベルト１２５とを有している。